(57)【要約】【課題】洗浄液の過剰使用を避けることが可能な着色ヘッド用クリーニング組立体を提供する。【解決手段】３次元印刷装置の着色ヘッドを洗浄するための着色ヘッド用クリーニング組立体は、洗浄槽と、可動ワイピングブレードと、吸水干渉部材とを含む。洗浄槽は、開口を有し、内部に洗浄液が収容される。可動ワイピングブレードは接触端を有し、接触端は、洗浄槽内に位置して洗浄液に浸漬したり、開口を通して洗浄槽から移出されて着色ヘッドをスクラッチブラッシングしたりする。吸水干渉部材は、開口の範囲内に配置され、洗浄液の液面の上に位置し、可動ワイピングブレードの移動行程を干渉する。可動ワイピングブレードが着色ヘッドを洗浄する前に、干渉部材によって予め可動ワイピングブレードに付着された余分な洗浄液を吸い取る。【選択図】図１
2018196981.tif 000002
【特許請求の範囲】
【請求項１】
３次元印刷装置の着色ヘッドを洗浄するための着色ヘッド用クリーニング組立体であって、
開口を有し、内部に洗浄液が収容される洗浄槽と、
前記洗浄槽内に位置して前記洗浄液に浸漬したり、前記開口を通して前記洗浄槽から移出されて前記着色ヘッドをスクラッチブラッシングしたりする接触端を有する可動ワイピングブレードと、
前記開口の範囲内に配置され、前記洗浄液の液面の上に位置し、前記可動ワイピングブレードの移動行程を干渉する吸水干渉部材と、を含むことを特徴とする着色ヘッド用クリーニング組立体。
【請求項２】
前記可動ワイピングブレードは、枢軸を有し、当該枢軸に沿って揺動することにより前記接触端を移動させることを特徴とする請求項１に記載の着色ヘッド用クリーニング組立体。
【請求項３】
前記可動ワイピングブレードは、アクチュエータに接続され、当該アクチュエータにより揺動するように駆動されることを特徴とする請求項２に記載の着色ヘッド用クリーニング組立体。
【請求項４】
前記吸水干渉部材は、固定配置され、前記洗浄液を向いた一面が多孔質材料で作られることを特徴とする請求項１に記載の着色ヘッド用クリーニング組立体。
【請求項５】
前記吸水干渉部材の前記洗浄液から離れた他面は、非吸水性硬材で作られることを特徴とする請求項４に記載の着色ヘッド用クリーニング組立体。
【請求項６】
前記吸水干渉部材は、前記可動ワイピングブレードの移動行程から退出可能に設けられることを特徴とする請求項１に記載の着色ヘッド用クリーニング組立体。
【請求項７】
前記吸水干渉部材は、多孔質材料で作られることを特徴とする請求項６に記載の着色ヘッド用クリーニング組立体。
【請求項８】
前記洗浄槽内には、沈水干渉部材が配置され、当該沈水干渉部材が前記洗浄液に浸漬するとともに、前記可動ワイピングブレードの移動行程を干渉することを特徴とする請求項１に記載の着色ヘッド用クリーニング組立体。
【請求項９】
前記沈水干渉部材は、多孔質材料で作られることを特徴とする請求項８に記載の着色ヘッド用クリーニング組立体。
【請求項１０】
前記沈水干渉部材は、非吸水性硬材で作られることを特徴とする請求項８に記載の着色ヘッド用クリーニング組立体。
【発明の詳細な説明】
【技術分野】
【０００１】
本発明は、３次元印刷装置のクリーニング組立体に関し、特に、洗浄液の過剰使用を避けることが可能な着色ヘッド用クリーニング組立体を有する。
【背景技術】
【０００２】
従来の２次元印刷ヘッド又は３次元着色ヘッドのクリーニング組立体は、通常ワイピングブレードを有している。ヘッドを洗浄する際、ヘッドをワイピングブレードに接触して往復に移動させて、ワイピングブレードによりヘッドに付着されたインクを取り除くために、ヘッドをスクラッチブラッシングするようにさらに移動させる。一般的に、２次元印刷ヘッドは、このような方法により、良好な洗浄結果を得ることができる。
【発明の概要】
【発明が解決しようとする課題】
【０００３】
３次元着色ヘッドは、一般的に成形ヘッドと共同作業を行う。成形ヘッドの作業で生じたプラスチックダストが着色ヘッド上のインクに付着すると、スラッジが形成されやすい。スラッジが乾燥して固化すると、掻き取りにくくなる。そのため、３次元着色ヘッドのクリーニング組立体は、スラッジを溶解するように、そのワイピングブレード上に洗浄液を付着させる必要がある。
【０００４】
しかしながら、ワイピングブレードには過剰な洗浄液が付着されることがよくあるため、ワイピングブレードとスラッジとの間の摩擦力が低下することで、洗浄効果が低下するとともに、着色ヘッドにも過剰な洗浄液が付着され、過剰な洗浄液にプラスチックダストが付着しやすくなり、スラッジを形成しやすくなるという問題があった。
【０００５】
以上に鑑みて、本発明の発明者は、研究と理論の使用とによって有効に上記の問題を解決することは、本発明者の改良の目標となっている。
【課題を解決するための手段】
【０００６】
本発明は、洗浄液の過剰使用を避けることが可能な着色ヘッド用クリーニング組立体を提供する。３次元印刷装置の着色ヘッドを洗浄するための着色ヘッド用クリーニング組立体は、洗浄槽と、可動ワイピングブレードと、吸水干渉部材とを含む。洗浄槽は、開口を有し、内部に洗浄液が収容される。可動ワイピングブレードは接触端を有し、接触端は、洗浄槽内に位置して洗浄液に浸漬したり、開口を通して洗浄槽から移出されて着色ヘッドをスクラッチブラッシングしたりする。吸水干渉部材は、開口の範囲内に配置され、洗浄液の液面の上に位置し、可動ワイピングブレードの移動行程を干渉する。
【０００７】
本発明に係る着色ヘッド用クリーニング組立体において、可動ワイピングブレードは、枢軸を有し、枢軸に沿って揺動することにより接触端を移動させる。可動ワイピングブレードは、アクチュエータに接続され、アクチュエータにより揺動するように駆動される。
【０００８】
本発明に係る着色ヘッド用クリーニング組立体において、吸水干渉部材は、固定配置され、洗浄液を向いた一面が多孔質材料で作られ、洗浄液から離れた他面が非吸水性硬材で作られる。
【０００９】
本発明に係る着色ヘッド用クリーニング組立体において、吸水干渉部材は、可動ワイピングブレードの移動行程から退出可能に設けられる。吸水干渉部材は、多孔質材料で作られる。
【００１０】
本発明に係る着色ヘッド用クリーニング組立体において、洗浄槽内には、沈水干渉部材が配置され、沈水干渉部材が洗浄液に浸漬するとともに、可動ワイピングブレードの移動行程を干渉する。沈水干渉部材は、多孔質材料で作られる。沈水干渉部材は、非吸水性硬材で作られる。
【発明の効果】
【００１１】
本発明に係る着色ヘッド用クリーニング組立体では、可動ワイピングブレードが着色ヘッドを洗浄する前に、干渉部材によって予め可動ワイピングブレードに付着された余分な洗浄液を吸い取ることにより、可動ワイピングブレードによって着色ヘッドをスクラッチブラッシングする際に過剰な洗浄液を着色ヘッドに付着させることを避けることができ、着色ヘッドに付着された洗浄液にダストが付着されてスラッジを形成することを避けることができる。
【図面の簡単な説明】
【００１２】
【図１】本発明の第１実施形態に係る着色ヘッド用クリーニング組立体を示す概略図である。
【図２】本発明の第１実施形態に係る着色ヘッド用クリーニング組立体の使用状態を示す概略図である。
【図３】本発明の第１実施形態に係る着色ヘッド用クリーニング組立体の使用状態を示す概略図である。
【図４】本発明の第１実施形態に係る着色ヘッド用クリーニング組立体の使用状態を示す概略図である。
【図５】本発明の第１実施形態に係る着色ヘッド用クリーニング組立体の使用状態を示す概略図である。
【図６】本発明の第２実施形態に係る着色ヘッド用クリーニング組立体を示す概略図である。
【図７】本発明の第２実施形態に係る着色ヘッド用クリーニング組立体の使用状態を示す概略図である。
【図８】本発明の第２実施形態に係る着色ヘッド用クリーニング組立体の使用状態を示す概略図である。
【図９】本発明の第２実施形態に係る着色ヘッド用クリーニング組立体の使用状態を示す概略図である。
【図１０】本発明の第２実施形態に係る着色ヘッド用クリーニング組立体の使用状態を示す概略図である。
【発明を実施するための形態】
【００１３】
図１に示すように、本発明の第１実施形態に係る着色ヘッド用クリーニング組立体は、洗浄槽１００と、可動ワイピングブレード２００と、吸水干渉部材３００とを含む。
【００１４】
洗浄槽１００は、開放的な槽体であり、頂部に開口１０１を有することが好ましい。洗浄槽１００内には、上述した可動ワイピングブレード２００を洗浄するための洗浄液１０が収容されている。本発明では、洗浄液１０は、水、アルコール又は他の溶液であってもよく、その種類が限定されない。
【００１５】
可動ワイピングブレード２００は、洗浄槽１００及びその開口１０１の位置に対応して配置されている。本実施形態において、可動ワイピングブレード２００は、ストリップ状であり、揺動可能に配置されることが好ましい。可動ワイピングブレード２００の一端は、枢軸２１０を有しており、可動ワイピングブレード２００の他端は、接触端２２０である。枢軸２１０は、洗浄槽１００の開口１０１の一側に軸支されている。可動ワイピングブレード２００は、枢軸２１０によって揺動することにより、接触端２２０を移動させることができる。枢軸２１０は、洗浄槽１００内又は洗浄槽１００外に位置してもよいが、これに限定されない。接触端２２０は、洗浄槽１００内まで延びており、洗浄液１０内に浸漬している。可動ワイピングブレード２００が揺動することにより、接触端２２０は、開口１０１を通して洗浄槽１００から移出されて着色ヘッド２０をスクラッチブラッシングすることができる。可動ワイピングブレード２００は、アクチュエータ（図示せず）に接続されることが好ましい。また、可動ワイピングブレード２００は、アクチュエータにより揺動するように駆動される。本実施形態において、アクチュエータは、枢軸２１０に配置されてもよい。アクチュエータによって駆動される枢軸２１０の回動に連動して、可動ワイピングブレード２００が揺動するようになっている。ただし、本発明は、これに限定されない。可動ワイピングブレード２００は、他の形式の機構に応じて他の作動方法（例えば、垂直昇降）によって洗浄槽１００を出入りするように接触端２２０を移動させることができる。
【００１６】
吸水干渉部材３００は、洗浄槽１００の開口１０１の範囲内に配置されている。本実施形態において、吸水干渉部材３００は、多孔質材料で作られることが好ましい。吸水干渉部材３００は、洗浄液１０の液面１１より上に配置され、可動ワイピングブレード２００の接触端２２０の移動行程を干渉するようにしている。本実施形態において、吸水干渉部材３００は、洗浄槽１００の開口１０１の、可動ワイピングブレード２００の枢軸２１０に対向する他方の側に配置され、可動ワイピングブレード２００の移動行程から水平移動可能に退出することができる。本実施形態において、吸水干渉部材３００は、他のアクチュエータ（図示せず）の駆動により水平移動することができるが、本発明はこれに限定されない。
【００１７】
洗浄槽１００内には、沈水干渉部材４００が配置されている。沈水干渉部材４００が洗浄液１０中に浸漬するとともに、可動ワイピングブレード２００の接触端２２０の移動行程を干渉するようにしている。沈水干渉部材４００は、非吸水性硬材で作られてもよく、多孔質材料で作られてもよい。
【００１８】
図２〜図５を参照すると、着色ヘッド２０を洗浄する際に、可動ワイピングブレード２００の回動により、その接触端２２０を洗浄槽１００の開口１０１から移出させる。移動過程において、吸水干渉部材３００を干渉し、吸水干渉部材３００が接触端２２０に付着された洗浄液１０を吸収する。これにより、接触端２２０が着色ヘッド２０をスクラッチブラッシングする際に過剰な洗浄液１０を着色ヘッド２０に付着させることを避けることができ、着色ヘッド２０に付着された洗浄液１０にダストが付着されてスラッジを形成することを避けることができる。着色ヘッド２０は、接触端２２０に接触するとともに、接触端２２０によって着色ヘッド２０に付着されたスラッジを掻き取るように水平往復移動する。洗浄が完了した後、可動ワイピングブレード２００の回動により、その接触端２２０を洗浄槽１００内に移動させる。この場合には、吸水干渉部材３００は、接触端２２０に付着されたスラッジを吸着しないように、接触端２２０の移動行程から移出する。可動ワイピングブレード２００の接触端２２０が洗浄液１０内に浸漬し、洗浄液１０によって接触端２２０に付着されたスラッジを溶解する。また、接触端２２０が沈水干渉部材４００に接触するようにさらに移動し、沈水干渉部材４００により接触端２２０をスクラッチブラッシングし、接触端２２０に付着されたスラッジを掻き取る。これにより、着色ヘッド２０の次回の洗浄のために、可動ワイピングブレード２００を洗浄することができる。
【００１９】
図６に示すように、本発明の第２実施形態に係る着色ヘッド用クリーニング組立体は、洗浄槽１００と、可動ワイピングブレード２００と、吸水干渉部材３００とを含む。ここで、本実施形態において、洗浄槽１００及び可動ワイピングブレード２００は、上述した第１実施形態と同じであるため、その説明を省略する。本実施形態と第１実施形態との相違点の詳細については後述する。本実施形態において、吸水干渉部材３００は、固定配置されている。吸水干渉部材３００の洗浄液１０を向いた底面３１０が、多孔質材料で作られている。吸水干渉部材３００の洗浄液１０から離れた頂面３２０は、非吸水性硬材で作られている。
【００２０】
図７〜図１０に示すように、可動ワイピングブレード２００の回動により接触端２２０を洗浄槽１００から移出させる過程において、吸水干渉部材３００の底面３１０にある多孔質材料は、可動ワイピングブレード２００の接触端２２０に接触して過剰な洗浄液１０を吸い取る。着色ヘッド２０の洗浄が完了した後、可動ワイピングブレード２００の回動により接触端２２０を洗浄槽１００に移入させる過程において、吸水干渉部材３００の頂面３２０にある非吸水性硬材は、可動ワイピングブレード２００の接触端２２０に接触して接触端２２０に付着されたスラッジを予備的に掻き取る。また、吸水干渉部材３００の頂面３２０は、非吸水性硬材で作られているため、スラッジの吸着を避けることができる。
【００２１】
以上、本発明の好適な実施形態について説明したが、本発明は、上記実施形態に限定されるものではない。本発明にあっては種々の変形が可能であって、かかる変形は、特許請求の範囲内に含まれる変形である限り本発明の技術的範囲に含まれる。
【符号の説明】
【００２２】
１０  洗浄液
１１  液面
２０  着色ヘッド
１００  洗浄槽
１０１  開口
２００  可動ワイピングブレード
２１０  枢軸
２２０  接触端
３００  吸水干渉部材
３１０  底面
３２０  頂面
４００  沈水干渉部材
【図１】
2018196981.tif 000003
【図２】
2018196981.tif 000004
【図３】
2018196981.tif 000005
【図４】
2018196981.tif 000006
【図５】
2018196981.tif 000007
【図６】
2018196981.tif 000008
【図７】
2018196981.tif 000009
【図８】
2018196981.tif 000010
【図９】
2018196981.tif 000011
【図１０】
2018196981.tif 000012